(57)【特許請求の範囲】
【請求項１】
一端に掛けバリ、中間部にエサ取付手段を設けたシャフトと、下端を前記シャフトの他端に回転自在に結合した上端が道糸接続部のアームと、両端をシャフトの中間部とアームの上端に接続した、自由長がシャフトの中間部から他端までの長さとアーム長の和より短い伸縮バネとを有するテコ式イカ釣り仕掛け。
【請求項２】
それぞれの一端に掛けバリを設け、中間部同士を回転自在に結合した２本のシャフトと、前記シャフトの中間部に設けたエサ取付手段と、下端を前記シャフトの他端に回転自在に結合し、道糸接続部の上端同士を回転自在に結合した２本のアームと、両端をシャフトの中間部とアームの上端に接続した、自由長がシャフトの中間部から他端までの長さとアーム長の和より短い伸縮バネとを有するテコ式イカ釣り仕掛け。
【請求項３】
それぞれの一端に掛けバリを設け、中間部同士を回転自在に結合した２本のシャフトと、前記シャフトの中間部に設けたエサ取付手段と、両端を前記シャフトの他端に回転自在に接続した逆Ｖ字形バネとを有するテコ式イカ釣り仕掛け。
【発明の詳細な説明】
【０００１】
【発明の属する技術分野】
本発明はアオリイカ（ミズイカ）やコウイカ等を釣る仕掛けに関し、より詳細にはアオリイカを主なターゲットとするテコ式イカ釣り仕掛けに関する。
【０００２】
【従来の技術】
従来のテコ式イカ釣り仕掛けは、上端が道糸接続部のシャフトの下端にイカリ型掛けバリ、中間部にエサバリ等を設けたものである。シャフトの中間に付けたエサをイカが抱いて引っ張ると、テコの原理でシャフトが上端を支点に跳ね上がり、下端の掛けバリが自動的にイカに掛かる向こうアワセの仕組みである。
【０００３】
【発明が解決しようとする課題】
掛けバリとエサとの距離が１５ｃｍ前後と近いため、掛けバリを設けたヤエンを後から投入するヤエン釣りに比べてアタリが少ない。大きいイカほどその傾向が顕著なため、春の大物釣りのときアタリが極端に少ないことがある。
また、シャフトの跳ね上がる支点と、イカのエサを引く強さが不安定なため、掛けバリの軌道とアワセの強さにバラツキがあり、アタリがあってもハリ掛かりしないことがあり、ハリ掛かりしても掛かりが浅い場合や掛かり所が柔らかい足先の場合にハリ外れや身切れでバラすことがある。
そして、仕掛けの最下方に掛けバリがあるため、根掛かりすることがある。
【０００４】
本発明は、アタリの増加、高いハリ掛かり率及び高い取り込み率が実現でき、ひいては釣果アップが実現できるテコ式イカ釣り仕掛けを提供することを目的とする。
【０００５】
【課題を解決するための手段】
上記目的を達成するには、掛けバリをエサから遠ざけることによりイカの警戒心を軽減するとともに、掛けバリの軌道やアワセの強さを安定化することによりハリ掛かりの確実性を高める必要がある。
そこで、請求項１に係る発明においては、シャフトの一端に掛けバリ、中間部にエサ取付手段を設ける。そして、上端が道糸接続部のアームの下端を前記シャフトの他端に回転自在に結合する。さらに、自由長がシャフトの中間部から他端までの長さとアーム長の和より短い伸縮バネの両端をシャフトの中間部とアームの上端に接続する。ここでいう伸縮バネとは、両端にかかるテンションの大きさによって全長が変化するバネである。
【０００６】
上記の手段を講じた仕掛けは、シャフトの中間部から他端までの端部、アーム及び自由長の伸縮バネによって三角形が形成される。そして、シャフトの中間部とアームの上端にテンションがかかると、その大きさに応じて伸縮バネの全長が変化してシャフトの他端にアームの軸方向の力が働くため、三角形が変形するにつれてシャフトが中間部を支点に回転する。つまり、シャフトが仕掛けにかかるテンションを原動力に回転するテコになり、シャフトの中間部、他端及び一端がそれぞれテコの支点、力点及び作用点になる。なお、三角形の変形とシャフトの回転を決める伸縮バネの伸びは両端にかかるテンションの大きさに比例し、バネ定数に反比例するため、仕掛けにかかるテンションの大きさや伸縮バネの強さによって三角形の変形度とシャフトの回転量が変化する。
掛けバリはシャフトが回転すると自転せずに円軌道を公転するため、掛けバリの軌道が安定化でき、ひいてはシャフトが長尺化できる。そして、イカリ型より軽くて目立ちにくいＶ型２本バリや半ガサバリ等が使用できる。
仕掛けにテンションとして作用するエサの重量は仕掛けを海に投入すると浮力でほぼ無重力になるため、三角形の形状を適切に設定し、シャフトを長くすれば掛けバリをエサから遠ざけることができ、かつエサより上方に配置できる。
イカがエサを引っ張るとき仕掛けにかかるテンションの大きさは道糸の張りの強弱によって変化するため、伸縮バネの強さを適切に設定し、道糸の張りを調節すればシャフトの回転量すなわち掛けバリの位置が制御でき、以てアタリの際に道糸の張りを弱くして掛けバリのイカへの接近を制限し、釣手が自在にアワセを入れる釣法が可能になり、ひいてはアワセの強さが安定化できる。
タイミングを計って適切な強さでアワセを入れると、その強さに応じて道糸の張りが強まるため、掛けバリが道糸の延長線上にいるイカに接近し、掛かる。
しかも、大半のイカはエサの頭を先ず食べるため、エサの頭と掛けバリの位置関係を適切に設定すれば掛かり所を特定の部位に限定できる。
道糸のテンションが一定値を超えて三角形の３辺が重なると、シャフトの端部とアームが伸縮バネの伸びを制限するリミッターとして作用するため、三角形の形状を適切に設定すれば仕掛けにかかるテンションの大きさに拘らず伸縮バネの塑性変形が防止でき、以て仕掛けに必要な強度より弱い伸縮バネが使用できる。
【０００７】
請求項２に係る発明は、請求項１記載のもの２組を合体させたものである。
２本のシャフトのそれぞれの一端に掛けバリを設け、中間部同士を回転自在に結合し、その中間部にエサ取付手段を設ける。そして、２本のアームの下端を前記シャフトの他端に回転自在に結合し、道糸接続部の上端同士を回転自在に結合する。さらに、自由長がシャフトの中間部から他端までの長さとアーム長の和より短い伸縮バネの両端をシャフトの中間部とアームの上端に接続する。
【０００８】
上記の手段を講じた仕掛けは、２本のシャフトの中間部から他端までの端部、２本のアーム及び自由長の伸縮バネにより２個の三角形が形成される。そして、アワセによるテンションがシャフトの中間部とアームの上端にかかると、三角形が変形するにつれて２本のシャフトが中間部を支点に回転し、それぞれの一端に設けた掛けバリが両側から挟み撃ちする形でイカに掛かる。しかも、驚いたイカが道糸を強く引くほど掛けバリのイカを挟む力が大きくなる。このため、請求項１記載のものに比べてハリ外れや身切れによるバラシが少ない。
【０００９】
請求項３に係る発明は、請求項２の構成要素において２本のアームと伸縮バネを逆Ｖ字形バネに替えたものである。
２本のシャフトのそれぞれの一端に掛けバリを設け、中間部同士を回転自在に結合し、その中間部にエサ取付手段を設ける。そして、逆Ｖ字形バネの両端を前記シャフトの他端に回転自在に接続する。ここでいう逆Ｖ字形バネとは、両端にかかる荷重の大きさによって両腕のなす角が変化する、接続時の形状が逆Ｖ字形のバネである。
【００１０】
上記の手段を講じた仕掛けは、２本のシャフトの中間部から他端までの端部と逆Ｖ字形バネにより四角形が形成される。そして、道糸を接続する逆Ｖ字形バネの屈曲部とシャフトの中間部にテンションがかかると、シャフトの軸方向の力が逆Ｖ字形バネの両端に働いて両腕のなす角が縮小するため、四角形が変形するにつれて２本のシャフトが中間部を支点に回転する。つまり、請求項２記載のものに比べて部品点数が少ないものの、同等の機能がある。
【００１１】
【発明の実施の形態】
以下、本発明について実施例に基づき図面を参照して説明する。
図１は請求項１記載のテコ式イカ釣り仕掛けの一実施例を示す正面図である。
シャフト４は一端に掛けバリ１が設けられ、中間部にエサ取付手段としてハリス２にチヌバリ３を結んだものがコネクター９とヨリモドシ１０を介して設けられている。また、アーム６は下端がシャフト４の他端にピン結合され、上端の道糸接続部５に道糸８がコネクター９とヨリモドシ１０を介して接続されている。そして、伸縮バネのクッションゴム７は両端がシャフト４の中間部とアーム６の上端にコネクター９を介して接続されている。なお、コネクター９とヨリモドシ１０は仕掛けの作動を円滑化し、ハリス２、クッションゴム７、道糸８の着脱を容易にするためのもので、必須ではない。
ちなみに、シャフト４の端部、自由長のクッションゴム７及びアーム６による三角形はクッションゴムの塑性変形を防止し、掛けバリをエサから効果的に遠ざけ、仕掛けの潮流による抵抗を減らすために３辺の比が３：４：５の直角三角形になっている。また、シャフト４は三角形の３辺が重なる際にクッションゴムと干渉しないように中間部で偏心している。そして、伸縮バネのクッションゴム７は強すぎるとイカを寄せるとき掛けバリの角度が変化することでハリ外れの原因になるので、イカを寄せる際のテンションで三角形の３辺が重なる程度の強さが好ましい。さらに、仕掛けの重心はアワセを入れたとき掛けバリが下からイカに接近するようにシャフトの中間部からやや掛けバリ側に寄った位置が好ましい。また、シャフトとアームの材質はイカの警戒心を軽減し、水中重量を軽量化するために透明のプラスチックが好ましい。シャフト長３６ｃｍでアーム長１５ｃｍの仕掛けにポリカーボネート（比重＝１．２）を採用する場合について試算すると、仕掛けの総重量が約２０グラム、水中重量が約５グラムになる。
なお、掛けバリは２個以上でもよく、その配列として縦３列や二股シャフトの横２列等がある。エサ取付手段は他にハリスのみやハリスにエサカンを結んだもの等がある。伸縮バネは他に引っ張りコイルバネ等がある。
【００１２】
図２は請求項２記載のテコ式イカ釣り仕掛けの一実施例を示す正面図である。
２本のシャフト４は、それぞれの一端に掛けバリ１が設けられ、中間部同士がピン結合され、中間部にエサ取付手段としてハリス２にチヌバリ３を結んだものがコネクター１９とヨリモドシ１０を介して設けられている。また、２本のアーム６は下端がシャフト４の他端にピン結合され、上端同士がピン結合され、道糸接続部５に道糸８がコネクター１９とヨリモドシ１０を介して接続されている。そして、伸縮バネのクッションゴム７は両端がシャフト４の中間部とアーム６の上端にコネクター１９を介して接続されている。
【００１３】
図３は請求項３記載のテコ式イカ釣り仕掛けの一実施例を示す正面図である。
２本のシャフト４は、それぞれの一端に掛けバリ１が設けられ、中間部同士がピン結合され、中間部にエサ取付手段としてハリス２にチヌバリ３を結んだものがコネクター２９とヨリモドシ１０を介して設けられている。また、逆Ｖ字形バネのねじりコイルバネ１１は両端がシャフト４の他端にピン接続され、屈曲部に道糸８がコネクター２９とヨリモドシ１０を介して接続されている。
なお、逆Ｖ字形バネは他に全長に比べて中央のコイル部が極端に短い特殊形状の引っ張りコイルバネ等がある。
【００１４】
本発明の使用法について釣法の実施例に基づき図面を参照して説明する。
図４は図１記載の仕掛けを使ったウキ釣りの一実施例を示す説明図で、（Ａ）はアタリを待っている状態、（Ｂ）はアワセを入れた瞬間をそれぞれ示す。
タックルは磯竿１〜３号（４．５ｍ〜５．３ｍ）、ドラグ付き中型スピニングリール、道糸２〜５号及び自立式棒ウキ２〜４号を、エサは１０〜２０ｃｍの活きたアジを使用する。なお、リールのドラグは身切れによるバラシを防ぐためにイカの大きさによって設定値を変える。また、エサは他に活きたネンブツダイ、タカベ、ボラや冷凍アジ等が使用でき、イカの大きさによってサイズを変える。
▲１▼道糸８に仕掛けと自立式棒ウキ１３を付けてウキ下をタナに合わせ、活き小アジ１２の尻尾の付け根にチヌバリ３を刺してエサを付ける。このとき、活き小アジ１２の先端と掛けバリ１のハリ先がシャフト４の中間部からほぼ等距離になるようにハリス２の長さを調節すれば掛かり所をイカの足の付け根付近に限定できる。
▲２▼着水時の衝撃でエサが弱らないように仕掛けを山なりに投入しアタリを待つ。
▲３▼イカが活き小アジ１２を抱いて引っ張り、自立式棒ウキ１３が沈んだら、リールのベイルを起こし、道糸をフリーにしてイカの動きに任せる。なお、ウキが沈んだときにアワセを入れる早アワセは、異状を感じたイカがハリ掛かりする前にエサを放して逃げることが多いため、イカがエサを食べるのに夢中になり、少々道糸を張っても逃げなくなるまで待ってアワセを入れる方がよい。
▲４▼イカの動き（道糸の出）が止まったら、３分程待ってから竿を立てて軽く道糸を張り、竿先でイカが逆噴射するかどうか確かめる。逆噴射するときはもう少し待ち、逆噴射しなければ三角形の３辺が重なる程度の強さでアワセを入れる。
その瞬間、テコの原理でシャフト４が中間部を支点に回転し、作用点に配した掛けバリ１が道糸８の延長線上にいるアオリイカ１４に接近し、掛かる。
▲５▼ハリ外れや身切れでバラさないように逆噴射による一時的な強い引きに対してはドラグを効かせつつ、一定のテンションを保ちながらゆっくり一定のスピードでリールを巻いてイカを足元に寄せ、玉網やイカギャフで取り込む。
なお、竿をひったくるような強いアタリがある場合はリールのベイルを寝せたままにしてイカの引く力をアワセに利用する向こうアワセ釣法もできる。また、ポイントが深場の場合はウキの浮力とバランスするオモリを付加してウキを水中に潜らせる潜水ウキ釣法もできる。そして、船釣りなどでポイントが近い場合はウキを外して竿先や手先から仕掛けを垂らすウキなし釣法もできる。
【００１５】
【発明の効果】
本発明のテコ式イカ釣り仕掛けは以下の効果を奏する。
▲１▼掛けバリをエサから遠ざけることができ、かつ目立ちにくいＶ型２本バリ等が使用できるため、イカの警戒心が軽減でき、アタリの増加が実現できる。
▲２▼掛けバリの軌道とアワセの強さが安定化でき、かつ掛かり所を身切れしにくい足の付け根や胴体に限定できるため、ハリ掛かりの確実性を高めることができ、高いハリ掛かり率と高い取り込み率が実現できる。
▲３▼釣果はアタリの回数、ハリ掛かり率及び取り込み率の積で決まるため、３つの要因の相乗効果によって釣果アップが実現できる。
▲４▼掛けバリをエサより上方に配置できるため、根掛かりの危険度が低減できる。
【００１６】
請求項２に係る発明は、請求項１記載のものに比べてハリ外れや身切れによるバラシが少ないため、取り込み率がさらに改善できる。このため、多くのアタリとハリ掛かりがあるにも拘らず、釣果が上がらない場合に有用性が高い。
【００１７】
請求項３に係る発明は、請求項２記載のものに比べて部品点数が少ないため、部品点数の削減による低コスト化が実現できる。
【図面の簡単な説明】
【図１】請求項１記載のテコ式イカ釣り仕掛けの一実施例を示す正面図である。
【図２】請求項２記載のテコ式イカ釣り仕掛けの一実施例を示す正面図である。
【図３】請求項３記載のテコ式イカ釣り仕掛けの一実施例を示す正面図である。
【図４】図１記載の仕掛けを使ったウキ釣りの一実施例を示す説明図である。
【符号の説明】
１…掛けバリ
２…ハリス（エサ取付手段）
３…チヌバリ（エサ取付手段）
４…シャフト
５…道糸接続部
６…アーム
７…クッションゴム（伸縮バネ）
８…道糸
９、１９、２９…コネクター
１０…ヨリモドシ
１１…ねじりコイルバネ（逆Ｖ字形バネ）
【図１】
0003692509.tif 000002
【図２】
0003692509.tif 000003
【図３】
0003692509.tif 000004
【図４】
0003692509.tif 000005